(57)【要約】【課題】従来技術と比較して緩衝材の使用量を増加させることなく、より高い緩衝性能を有する梱包装置を提供する。【解決手段】梱包装置１０は、下部包装材１１、底面部１２、側壁部１３ａ，１３ｂ，１３ｃ，１３ｄ、折曲げ片１４、下部緩衝材１５、上部緩衝材１６、上部包装材１７、外装材１８等を備える。下部緩衝材１５は、被梱包物である冷蔵庫１の左右両側にそれぞれ配置され、冷蔵庫１を下側から支持する。各折曲げ片１４は、下部包装材１１の底面部１２に切込み１４ａを入れて底面部１２の一部を上向きに折曲げることにより形成され、各下部緩衝材１５よりも底面部１２の中央寄りの位置で冷蔵庫１に当接する。これにより、緩衝材を追加しなくても、各折曲げ片１４により下部包装材１１を補強し、冷蔵庫１を衝撃等から保護することができる。【選択図】図１
2016153325.tif 000002
【特許請求の範囲】
【請求項１】
被梱包物を下側から覆うための底面部を有し、前記被梱包物の下側に配置される下部包装材と、
前記下部包装材の前記底面部上に配置され、前記被梱包物を下側から支持する下部緩衝材と、
前記被梱包物の上部に設けられる上部緩衝材と、
前記上部緩衝材を上側から覆う上部包装材と、
前記被梱包物の側面部を覆う外装材と、
前記下部包装材の前記底面部に切込みを入れて当該底面部の一部を上向きに折曲げることにより形成され、前記下部緩衝材と異なる位置で前記底面部から上向きに突出して前記被梱包物に当接する折曲げ片と、
を備えた梱包装置。
【請求項２】
前記下部緩衝材は、前記下部包装材の前記底面部上において水平方向の一側と他側に少なくとも１個ずつ配置し、
前記折曲げ片は、水平方向において前記各下部緩衝材の間となり、かつ、前記各下部緩衝材よりも前記底面部の中央寄りとなる位置に配置する構成とした請求項１に記載の梱包装置。
【請求項３】
前記下部包装材の前記底面部は四角形状に形成し、
前記下部緩衝材は、前記底面部の４辺のうち互いに平行な２辺に沿って少なくとも１個ずつ配置し、
前記折曲げ片は、前記各下部緩衝材の間に配置する構成とした請求項１に記載の梱包装置。
【請求項４】
前記各下部緩衝材は、前記底面部の４隅で前記被梱包物を支持する構成とした請求項３に記載の梱包装置。
【請求項５】
前記折曲げ片は、四角形または三角形の断面形状を有する構成とした請求項１から４のうち何れか１項に記載の梱包装置。
【請求項６】
前記下部包装材の前記底面部を基準として、前記下部緩衝材のうち前記被梱包物を支持する部位の高さ寸法と前記折曲げ片の高さ寸法とを等しくする構成とした請求項１から５のうち何れか１項に記載の梱包装置。
【請求項７】
前記被梱包物は圧縮機が搭載された機器であり、
前記折曲げ片は前記圧縮機の下側に配置する構成とした請求項１から６のうち何れか１項に記載の梱包装置。
【発明の詳細な説明】
【技術分野】
【０００１】
本発明は、各種の製品等を梱包する梱包装置に関し、特に、冷蔵庫等の重量物を梱包するのに好適に用いられる梱包装置に関する。
【背景技術】
【０００２】
従来技術として、例えば特許文献１に記載されているような冷蔵庫の梱包装置が知られている。従来技術の梱包装置は、段ボール等により形成された箱体と、箱体の内部に配置された緩衝材とを備えている。箱体は、冷蔵庫を載置する底部箱体と、冷蔵庫の上部に被せる上部箱体とを備え、緩衝材は、冷蔵庫の上部及び下部の角隅をそれぞれ保護するように配置されている。また、冷蔵庫には、合成樹脂製の袋が上側から被せられ、この袋は接着等の手段により底部箱体に固着されている。
【先行技術文献】
【特許文献】
【０００３】
【特許文献１】特開２００２−５３１９４号公報
【発明の概要】
【発明が解決しようとする課題】
【０００４】
しかしながら、上述した特許文献１に記載の従来技術では、下部の緩衝材が冷蔵庫の両側（前後または左右の両側）に配置されている。このため、例えば梱包状態の冷蔵庫を誤って落とした場合には、底部箱体の中央部、即ち、両側の緩衝材の間に位置する部分が撓み変形し易いという問題がある。特に、大型冷蔵庫においては、落下時の衝撃力が大きいので、上記問題が顕著となる。この問題の解決策としては、例えば緩衝材を大きくしたり、その個数を増やす方法が考えられる。しかしながら、この場合には、緩衝材の使用量が増加するので、コストアップが生じるだけでなく、緩衝材の廃棄処分に手間がかかることになり、環境に優しい梱包装置を実現するのが難しくなる。
【０００５】
本発明は、上述のような課題を解決するためになされたもので、従来技術と比較して緩衝材の使用量を増加させることなく、落下時の衝撃等に対して被梱包物を保護する機能を向上させることが可能な梱包装置を提供することを目的とする。
【課題を解決するための手段】
【０００６】
本発明に係る梱包装置は、被梱包物を下側から覆うための底面部を有し、被梱包物の下側に配置される下部包装材と、下部包装材の底面部上に配置され、被梱包物を下側から支持する下部緩衝材と、被梱包物の上部に設けられる上部緩衝材と、上部緩衝材を上側から覆う上部包装材と、被梱包物の側面部を覆う外装材と、下部包装材の底面部に切込みを入れて当該底面部の一部を上向きに折曲げることにより形成され、下部緩衝材と異なる位置で底面部から上向きに突出して被梱包物に当接する折曲げ片と、を備えている。
【発明の効果】
【０００７】
本発明によれば、下部緩衝材の底面部の一部を上向きに折曲げることにより、折曲げ片を形成することができる。折曲げ片は、下部緩衝材と異なる位置で下部包装材の底面部と被梱包物との間に介在し、下部包装材を補強することができる。この結果、例えば緩衝材を追加しなくても、落下等の衝撃により下部包装材が変形するのを折曲げ片により抑制し、被梱包物を衝撃から保護することができる。従って、従来技術と比較して緩衝材の使用量を増加させることなく、より高い緩衝性能を有する梱包装置を実現することができる。
【図面の簡単な説明】
【０００８】
【図１】本発明の実施の形態１による梱包装置を分解した状態で冷蔵庫と共に示す分解斜視図である。
【図２】図１中の下部包装材を単体で示す斜視図である。
【図３】本発明の実施の形態１において、梱包装置により冷蔵庫を梱包して梱包製品を組立てた状態を示す斜視図である。
【図４】図３中の梱包製品の下部を示す縦断面図である。
【図５】本発明の実施の形態２よる梱包装置の下部包装材を示す斜視図である。
【図６】図５中の下部包装材を用いた梱包製品の下部を示す縦断面図である。
【発明を実施するための形態】
【０００９】
以下、図面を参照して、本発明の実施の形態について説明する。なお、本明細書で使用する各図においては、共通する要素に同一の符号を付し、重複する説明を省略するものとする。また、本発明は、以下の実施の形態に限定されるものではなく、本発明の主旨を逸脱しない範囲で種々に変形することが可能である。また、本発明は、以下の各実施の形態に示す構成のうち、組合わせ可能な構成のあらゆる組合わせを含むものである。
【００１０】
実施の形態１．
まず、図１から図４を参照して、本発明の実施の形態１について説明する。図１は、本発明の実施の形態１による梱包装置を分解した状態で冷蔵庫と共に示す分解斜視図である。なお、本実施の形態では、梱包装置１０により梱包する被梱包物として冷蔵庫１を例示したが、本発明はこれに限らず、他の被梱包物に適用してもよい。冷蔵庫１は、例えば鉛直方向に細長く延びた四角柱状に形成され、冷蔵庫１の前面部に配置された複数の扉２と、図示しない冷却回路と、圧縮機３とを備えている。圧縮機３は、冷却回路の駆動源を構成するもので、例えば冷蔵庫１の後部下側の規定位置に設置されている。なお、以下の説明では、水平方向において、冷蔵庫１の前面部と垂直な方向を前後方向と表記し、前後方向と直交する方向を左右方向と表記する。
【００１１】
本実施の形態による梱包装置１０は、下部包装材１１、下部緩衝材１５、上部緩衝材１６、上部包装材１７、外装材１８等を備えている。下部包装材１１は、冷蔵庫１の下側に配置されるもので、例えば１枚の段ボールシートを折曲げることにより、上側が開口した箱形状に形成されている。下部包装材１１は、底面部１２、側壁部１３ａ，１３ｂ，１３ｃ，１３ｄ及び後述の折曲げ片１４を備えている。底面部１２は、冷蔵庫１を下側から覆う部位であり、例えば冷蔵庫１の下面部よりも一回り大きな四角形の平板状に形成されている。側壁部１３ａ，１３ｂ，１３ｃ，１３ｄは、底面部１２の四辺からそれぞれ上方に向けて垂直に伸張し、全体として四角形の枠状に形成されている。また、側壁部１３ａ，１３ｃは、冷蔵庫１の前後方向で互いに対向し、側壁部１３ｂ，１３ｄは、冷蔵庫１の左右方向で互いに対向している。
【００１２】
下部緩衝材１５は、冷蔵庫１の下部側を衝撃等から保護するもので、例えば樹脂材料、好ましくは発泡樹脂等のような緩衝性を有する材料により形成されている。また、下部緩衝材１５は、細長い台座状の部材として形成され、下部緩衝材１５の上部には、冷蔵庫１の下面に当接する平面状の支持面部１５ａが形成されている。下部緩衝材１５は、後述のように、例えば冷蔵庫１の左右両側（好ましくは、冷蔵庫１の下面の左端部及び右端部）に１個ずつ配置され、下部包装材１１の内側に嵌め込まれた状態で底面部１２と冷蔵庫１との間に介在し、冷蔵庫１を下側から支持する。
【００１３】
上部緩衝材１６は、冷蔵庫１の上部側を衝撃等から保護するもので、例えば下部緩衝材１５と同様の材料により細長い部材として形成されている。上部緩衝材１６は、後述のように、冷蔵庫１の上部の左右両側に１個ずつ設けられ、冷蔵庫１の上部側の角隅を覆った状態に保持される。上部包装材１７は、例えば段ボールシートを折曲げることにより、下側が開口した箱形状に形成され、下部包装材１１とほぼ同様の外形寸法を有している。そして、上部包装材１７は、各上部緩衝材１６を上側から覆った状態で冷蔵庫１の上部に設けられる。外装材１８は、冷蔵庫１、下部包装材１１及び上部緩衝材１６の側面部を覆うもので、例えば段ボールシート等により四角形の筒状に形成され、上下方向の両側が開口している。
【００１４】
次に、図２を参照して、下部包装材１１の底面部１２に設けられた折曲げ片１４について説明する。図２は、図１中の下部包装材を単体で示す斜視図である。折曲げ片１４は、下部包装材１１の底面部１２に切込み１４ａを入れて当該底面部１２の一部を上向きに折曲げることにより形成されている。折曲げ片１４は、例えば前後方向に細長く延びた四角形の筒状に形成され、四角形の断面形状を有している。そして、折曲げ片１４は、底面部１２から上向きに規定の高さ寸法をもって突出し、平坦な上面部を有している。
【００１５】
また、折曲げ片１４は、後述の図４に示すように、下部緩衝材１５を下部包装材１１の内側に嵌め込んだ状態において、下部緩衝材１５と異なる位置に２個形成されている。より具体的に述べると、各折曲げ片１４は、左右の下部緩衝材１５の間となり、かつ、各下部緩衝材１５よりも底面部１２の中央寄りとなる位置に配置されている。また、２個の折曲げ片１４は、冷蔵庫１の左右方向の中心位置に対して左右対称となるように配置されている。各折曲げ片１４の高さ寸法は、下部包装材１１の底面部１２から下部緩衝材１５の支持面部１５ａまでの高さ寸法と等しくなるように設定されている。
【００１６】
次に、図３及び図４を参照して、梱包装置１０により冷蔵庫１を梱包する場合の手順について説明する。図３は、本発明の実施の形態１において、梱包装置により冷蔵庫を梱包して梱包製品を組立てた状態を示す斜視図である。図４は、図３中の梱包製品の下部を示す縦断面図である。冷蔵庫１の梱包時には、まず、床面等に載置した下部包装材１１の上側に２個の下部緩衝材１５を配置する。具体的には、各下部緩衝材１５を下部包装材１１の側壁部１３ａ〜１３ｄの内側に嵌め込んで底面部１２上に配置する。そして、冷蔵庫１を各下部緩衝材１５上に載置し、冷蔵庫１の下面を各下部緩衝材１５の支持面部１５ａにそれぞれ当接させる。
【００１７】
このとき、左側の下部緩衝材１５は、図４に示すように、下部包装材１１の側壁部１３ｄに沿って前後方向に伸張し、支持面部１５ａが冷蔵庫１の左角隅の下面に対して前端から後端まで当接した状態に保持される。また、右側の下部緩衝材１５は、下部包装材１１の側壁部１３ｂに沿って前後方向に伸張し、支持面部１５ａが冷蔵庫１の右角隅の下面に対して前端から後端まで当接した状態に保持される。この状態で、２個の下部緩衝材１５は、底面部１２の４辺のうち互いに平行な２辺に沿ってそれぞれ配置され、底面部１２の４隅で冷蔵庫１を支持している。また、２個の折曲げ片１４は、各下部緩衝材１５の間で冷蔵庫１の下面に当接した状態となる。
【００１８】
次に、冷蔵庫１の上部の左角隅及び右角隅に上部緩衝材１６をそれぞれ配置し、各上部緩衝材１６の上側から上部包装材１７を被せる。これにより、各上部緩衝材１６は、上部包装材１７の内側に嵌め込まれた状態となる。続いて、外装材１８を上部包装材１７の上側から被せることにより、外装材１８が冷蔵庫１、下部包装材１１及び上部包装材１７の全てを外側から包むようにする。そして、図３に示すように、複数のバンド２０を用いて下部包装材１１、上部包装材１７及び外装材１８を締結することにより、冷蔵庫１が梱包装置１０により梱包された梱包製品３０を完成する。
【００１９】
このように、冷蔵庫１を梱包した状態において、各折曲げ片１４は、左右の下部緩衝材１５の間で冷蔵庫１の下面と下部包装材１１の底面部１２との間に介在し、底面部１２の中央部を補強することができる。この結果、例えば落下等により梱包製品３０に衝撃が加わった場合でも、冷蔵庫１及び下部包装材１１の中央部が撓んで変形するのを各折曲げ片１４により抑制し、冷蔵庫１を衝撃等から保護することができる。これにより、従来技術と比較して緩衝材の使用量を増加させなくても、より高い強度の梱包装置１０を実現することができる。
【００２０】
即ち、従来技術の梱包装置では、下部包装材１１の中央部が変形するのを防止するために、例えば左右の下部緩衝材を大きくしたり、下部包装材１１の中央部に別個の緩衝材を追加することが一般的であった。これに対し、本実施の形態によれば、下部包装材１１の底面部１２の一部を利用して折曲げ片１４を形成することができる。従って、緩衝材の使用量を従来技術と同等かそれ以下に削減しつつ、梱包装置１０の緩衝性能を高めることができ、高性能かつ低コストで環境に優しい梱包装置１０を提供することができる。
【００２１】
特に、本実施の形態では、冷蔵庫１（下部包装材１１）の左右両側に配置した下部緩衝材１５の間に、２個の折曲げ片１４を左右方向に離間した状態で配置し、これらの下部緩衝材１５と折曲げ片１４とを前後方向に伸張させている。また、折曲げ片１４の上面部と下部緩衝材１５の支持面部１５ａとを同じ高さ寸法に形成している。さらに、各下部緩衝材１５により冷蔵庫１の４隅を支持している。この結果、下部緩衝材１５と折曲げ片１４とを前後方向及び左右方向の広い範囲にわたって冷蔵庫１の下面に均等に当接させることができる。これにより、落下等による衝撃を下部包装材１１の全体に分散させ、中央部に加わる負荷を効率よく軽減することができる。また、折曲げ片１４の断面形状を四角形に形成することにより、折曲げ片１４の上面部を平坦に形成し、折曲げ片１４と冷蔵庫１とを広い面積で接触させることができる。
【００２２】
実施の形態２．
次に、図５及び図６を参照して、本発明の実施の形態２について説明する。本実施の形態の特徴は、前記実施の形態１と個数、位置及び断面形状が異なる折曲げ片を例示し、圧縮機の下側に折曲げ片を配置したことにある。図５は、本発明の実施の形態２よる梱包装置の下部包装材を示す図２と同様の斜視図である。図６は、図５中の下部包装材を用いた梱包製品の下部を示す縦断面図である。なお、図６は、前記図４と直交する方向での断面を示している。
【００２３】
本実施の形態よる梱包装置の下部包装材４１は、図５に示すように、前記実施の形態１と同様の底面部１２及び側壁部１３ａ，１３ｂ，１３ｃ，１３ｄと、折曲げ片４２とを備えている。そして、折曲げ片４２は、底面部１２に切込み４２ａを入れて当該底面部１２の一部を上向きに折曲げることにより形成され、各下部緩衝材１５の間となる位置に底面部１２から上向きに突出している。但し、本実施の形態の折曲げ片４２は、三角形の断面形状を有し、例えば３個形成されている。また、３個のうち少なくとも１個の折曲げ片４２は、図６に示すように、冷蔵庫１の圧縮機３の下側に配置されている。
【００２４】
このように構成される本実施の形態によれば、前記実施の形態１と同様の効果に加えて、次のような作用効果を得ることができる。まず、折曲げ片４２を三角形状とすることにより、例えば実施の形態１と比較して、折曲げ片４２を形成するのに必要な切込み４２ａの面積を小さくすることができる。これにより、底面部１２に形成される穴の開口面積を最小限にすることができるので、例えば梱包製品３０を引き摺って運ぶ場合等に対して、底面部１２の強度を向上させることができる。
【００２５】
一方、圧縮機３は、冷蔵庫１の構成部品の中でも重量が大きいので、梱包製品３０を落下させた場合には、特に圧縮機３の位置で下部包装材４１が変形し易い。これに対し、本実施の形態では、例えば１個の折曲げ片４２を圧縮機３の下側に配置しているので、この折曲げ片４２により変形し易い部位を効果的に補強することができ、落下時等における冷蔵庫１の保護機能を高めることができる。
【００２６】
なお、前記実施の形態１，２では、折曲げ片１４，４２の一例を記載したが、本発明において、折曲げ片の断面形状、寸法、個数及び配置は、被梱包物の形状、重量分布等に応じて適宜設定すればよいものであり、実施の形態１，２に限定されるものではない。また、本発明では、複数個の折曲げ片を形成した場合おいて、一部の折曲げ片の寸法、形状等を他の折曲げ片と異ならせる構成としてもよい。一例を挙げれば、１つの下部包装材に２種類の折曲げ片１４，４２を設けてもよい。
【００２７】
また、前記実施の形態１では、下部緩衝材１５を、冷蔵庫１の左右方向の両側に１個ずつ配置する場合を例示した。しかし、本発明はこれに限らず、下部緩衝材は、下部包装材の底面部１２において水平方向の一側と他側に少なくとも１個ずつ配置すればよい。具体的に述べると、下部緩衝材は、例えば冷蔵庫１の前後方向の両側（好ましくは、冷蔵庫１の下面の前端部及び後端部）に１個ずつ配置してもよいし、冷蔵庫１の４辺に１個ずつ配置してもよい。また、下部緩衝材は、冷蔵庫１の４隅に１個ずつ配置してもよい。更に言えば、下部緩衝材は、１箇所に２個以上の複数個ずつ配置してもよく、例えば冷蔵庫１の４辺に３個ずつ配置してもよい。
【００２８】
また、前記実施の形態１，２では、段ボールシートを折曲げることにより、下部包装材１１，４１、上部包装材１７及び外装材１８を形成したが、本発明は、これらの部材を段ボールシート以外のシート状の材料により形成してもよい。また、実施の形態１，２では、被梱包として、圧縮機３を有する冷蔵庫１を例示したが、本発明は、冷蔵庫以外の機器、製品等を含む各種の被梱包物に適用されるものである。
【符号の説明】
【００２９】
１  冷蔵庫（被梱包物）
２  扉
３  圧縮機
１０  梱包装置
１１，４１  下部包装材
１２  底面部
１３ａ，１３ｂ，１３ｃ，１３ｄ  側壁部
１４，４２  折曲げ片
１４ａ，４２ａ  切込
１５  下部緩衝材
１５ａ  支持面部
１６  上部緩衝材
１７  上部包装材
１８  外装材
２０  バンド
３０  梱包製品
【図１】
2016153325.tif 000003
【図２】
2016153325.tif 000004
【図３】
2016153325.tif 000005
【図４】
2016153325.tif 000006
【図５】
2016153325.tif 000007
【図６】
2016153325.tif 000008